(57)【要約】      （修正有）【課題】固定対象物を被固定体に適切な強度で固定することができる固定具を提供する。【解決手段】固定対象物を被固定体に着脱可能に固定するための固定具１００であって、第１の素片１０と、第２の素片２０と、第１の素片１０および第２の素片２０のそれぞれのナックル部１２、２２に挿通されたシャフト３０と、シャフト３０に巻回された状態のコイル部分４２を含むコイルスプリング４０と、を有する。コイルスプリング４０を形成する線材の一方の端部４４は第１の素片１０に圧接して、コイルスプリング４０が第１の素片をシャフト３０に関して時計方向に旋回するように付勢し、かつ、線材のもう一方の端部は第２の素片２０に圧接して、コイルスプリング４０が第２の素片２０をシャフト３０に関して反時計方向に旋回するように付勢している。第１の素片１０には、固定具１００を固定対象物に取り付けるための取り付け孔１６が形成されている。第２の素片２０の旋回方向側には固定部材５０が着脱可能に取り付けられている。【選択図】図１
0003211887.tif 000002
【実用新案登録請求の範囲】
【請求項１】
固定対象物を被固定体に着脱可能に固定するための固定具であって、
第１の素片と、第２の素片と、該第１および第２の素片のそれぞれのナックル部に挿通されたシャフトと、該シャフトに巻回された状態のコイル部分を含むコイルスプリングと、を有し、該コイルスプリングを形成する線材の一方の端部が該第１の素片に圧接して、該コイルスプリングが該第１の素片を該シャフトに関して時計方向に旋回するように付勢し、かつ、該線材のもう一方の端部が該第２の素片に圧接して、該コイルスプリングが該第２の素片を該シャフトに関して反時計方向に旋回するように付勢しており、ならびに、該第１の素片と該第２の素片とは互いに当接してさらに旋回することがないように静止しており、
該第１の素片には、該固定具を該固定対象物に取り付けるための取り付け孔が形成されており、
該第２の素片の旋回方向側には固定部材が着脱可能に取り付けられており、
該固定部材は、該当接部分に近い近位部と、該当接部分から遠い遠位部と、該近位部と該遠位部との間に位置する中間部と、を有し、該近位部と該中間部とが該第２の素片の旋回方向と反対方向に凸となるように屈曲し、かつ、該中間部と該遠位部とが該第２の素片の旋回方向と反対方向に凸となるように屈曲して構成されている、
固定具。
【請求項２】
前記固定部材の前記中間部と前記遠位部とがなす屈曲角が実質的に直角であり、該中間部と前記近位部とがなす屈曲角が１３５°〜１６５°である、請求項１に記載の固定具。
【請求項３】
前記第１の素片の旋回方向側の表面が前記固定対象物に対向するようにして該第１の素片を該固定対象物に取り付けた状態で、前記コイルスプリングの付勢に抗して該第１の素片および／または前記第２の素片を旋回させて前記固定部材の遠位部を前記被固定体に圧接することにより、該固定対象物を該被固定体に固定する、請求項１または２に記載の固定具。
【請求項４】
前記固定対象物が照明器具である、請求項１から３のいずれかに記載の固定具。
【請求項５】
前記被固定体が建築物の天井または壁である、請求項４に記載の固定具。
【考案の詳細な説明】
【技術分野】
【０００１】
本考案は、固定対象物を被固定体に着脱可能に固定するための固定具に関する。
【背景技術】
【０００２】
固定対象物（例えば、照明器具）を被固定体（例えば、天井、壁）に着脱可能に固定する際に、固定対象物が適切に固定されず、その結果、固定対象物がぐらついたり、被固定体から外れたりする場合がある。このような問題を解決するために種々の検討がなされているが、いまだに改善の余地が残されており、固定対象物を被固定体に適切な強度で固定することができる固定具が望まれている。
【先行技術文献】
【特許文献】
【０００３】
【特許文献１】実用新案登録第２５５０９９１号
【特許文献２】特許第５２９７７６４号
【考案の概要】
【考案が解決しようとする課題】
【０００４】
本考案は上記従来の課題を解決するためになされたものであり、その主たる目的は、固定対象物を被固定体に適切な強度で固定することができる固定具を提供することにある。
【課題を解決するための手段】
【０００５】
本考案は、固定対象物を被固定体に着脱可能に固定するための固定具に関する。該固定具は、第１の素片と、第２の素片と、該第１および第２の素片のそれぞれのナックル部に挿通されたシャフトと、該シャフトに巻回された状態のコイル部分を含むコイルスプリングと、を有し、該コイルスプリングを形成する線材の一方の端部が該第１の素片に圧接して、該コイルスプリングが該第１の素片を該シャフトに関して時計方向に旋回するように付勢し、かつ、該線材のもう一方の端部が該第２の素片に圧接して、該コイルスプリングが該第２の素片を該シャフトに関して反時計方向に旋回するように付勢しており、ならびに、該第１の素片と該第２の素片とは互いに当接してさらに旋回することがないように静止しており；該第１の素片には、該固定具を該固定対象物に取り付けるための取り付け孔が形成されており；該第２の素片の旋回方向側には固定部材が着脱可能に取り付けられており；該固定部材は、該当接部分に近い近位部と、該当接部分から遠い遠位部と、該近位部と該遠位部との間に位置する中間部と、を有し、該近位部と該中間部とが該第２の素片の旋回方向と反対方向に凸となるように屈曲し、かつ、該中間部と該遠位部とが該第２の素片の旋回方向と反対方向に凸となるように屈曲して構成されている。
１つの実施形態においては、上記固定部材の上記中間部と上記遠位部とがなす屈曲角は実質的に直角であり、該中間部と上記近位部とがなす屈曲角は１３５°〜１６５°である。
１つの実施形態においては、上記固定具は、上記第１の素片の旋回方向側の表面が上記固定対象物に対向するようにして該第１の素片を該固定対象物に取り付けた状態で、上記コイルスプリングの付勢に抗して該第１の素片および／または上記第２の素片を旋回させて上記固定部材の遠位部を上記被固定体に圧接することにより、該固定対象物を該被固定体に固定する。
１つの実施形態においては、上記固定対象物は照明器具である。１つの実施形態においては、上記被固定体は建築物の天井または壁である。
【考案の効果】
【０００６】
本考案によれば、コイルスプリングによる付勢を利用することにより、固定対象物を被固定体に適切な強度で固定することができる固定具を実現することができる。
【図面の簡単な説明】
【０００７】
【図１】本考案の１つの実施形態による固定具を第１の素片側から見たときの概略斜視図である。
【図２】図１の固定具を第２の素片側から見たときの概略斜視図である。
【図３】図１の固定具をシャフトの軸方向から見たときの概略側面図である。
【図４】図１の固定具の使用状態の一例を説明する概略斜視図である。
【考案を実施するための形態】
【０００８】
以下、図面を参照して本考案の具体的な実施形態について説明するが、本考案はこれらの実施形態には限定されない。なお、見やすくするために図面は模式的に表されており、さらに、図面における長さ、幅、厚み等の比率、ならびに角度等は、実際とは異なっている。
【０００９】
図１は、本考案の１つの実施形態による固定具を第１の素片側から見たときの概略斜視図であり；図２は、当該固定具を第２の素片側から見たときの概略斜視図であり；図３は、当該固定具をシャフトの軸方向から見たときの概略側面図である。固定具１００は、第１の素片１０と、第２の素片２０と、第１の素片１０のナックル部１２、１２および第２の素片２０のナックル部２２、２２に挿通されたシャフト３０と、シャフトに巻回された状態のコイル部分４２を含むコイルスプリング４０と、を有する。コイルスプリング４０を形成する線材の一方の端部４４は第１の素片１０に圧接して、コイルスプリング４０が第１の素片１０をシャフト３０に関して時計方向Ａに旋回するように付勢している。さらに、線材のもう一方の端部４６は第２の素片２０に圧接して、コイルスプリング４０が第２の素片２０をシャフト３０に関して反時計方向Ｂに旋回するように付勢している。このように付勢されている第１の素片１０と第２の素片２０とは、図示の部分１４、１４および２４、２４で互いに当接してさらに旋回することがないように静止している。
【００１０】
第１の素片１０には、固定具１００を固定対象物に取り付けるための取り付け孔１６が形成されている。後述するように、取り付け孔１６を介して第１の素片１０を固定対象物に取り付けることにより、固定具１００を固定対象物に取り付けることができる。取り付け手段としては、任意の適切な手段が採用され得る。例えば、固定対象物にねじ穴を形成し、取り付け孔１６を介してねじ止めすることにより、素片１０（実質的には、固定具１００）を固定対象物に取り付けることができる。
【００１１】
第２の素片２０の旋回方向側には固定部材５０が着脱可能に取り付けられている。固定部材５０が、固定対象物を被固定体に固定する機能を有する。固定部材５０の第２の素片２０への取り付け手段としては、任意の適切な構成が採用され得る。図示例では、固定部材５０は、ボルトねじ５６により第２の素片２０に取り付けられている。固定部材５０を第２の素片２０に着脱可能に取り付けることにより、固定対象物および被固定体の形状および構成等に応じて、適切な固定部材に取り換えることができる。したがって、固定対象物および被固定体の形状および構成等に応じて、固定対象物を被固定体に適切な強度で固定することができる。
【００１２】
固定部材５０は、当接部分２４に近い近位部５１と、当接部分から遠い遠位部５３と、近位部５１と遠位部５３との間に位置する中間部５２と、を有する。固定部材５０は、近位部５１と中間部５２とが第２の素片２０の旋回方向Ｂと反対方向に凸となるように屈曲し、かつ、中間部５２と遠位部５３とが当該旋回方向Ｂと反対方向に凸となるように屈曲して構成されている。中間部５２と遠位部５３とがなす屈曲角θ１は、代表的には、実質的に直角である。本明細書において「実質的に直角」とは、屈曲角θ１が８０°〜１００°の範囲を包含することを意味する。屈曲角θ１は、好ましくは８５°〜９５°であり、より好ましくは８８°〜９２°であり、特に好ましくは約９０°である。中間部５２と近位部５１とがなす屈曲角θ２は、好ましくは１３５°〜１６５°であり、より好ましくは１４０°〜１６０°であり、さらに好ましくは１４５°〜１５５°であり、特に好ましくは約１５０°である。屈曲角θ１およびθ２がこのような範囲であれば、固定対象物を被固定体に適切な強度で固定することができる。
【００１３】
次に、固定具の使用方法について説明する。一例として、照明器具（固定対象物）を建築物の天井または壁（被固定体）に取り付ける場合を説明する。図４は、固定具の使用状態の一例を説明する概略斜視図であり、照明器具２００を天井に形成された穴を介して天井の裏側３００に取り付けた状態を示している。より具体的には以下のとおりである。まず、第１の素片１０の旋回方向Ａ側の表面が照明器具２００の上面（照明部とは反対側の面）に対向するようにして第１の素片１０を照明器具２００に取り付ける。上記のとおり、取り付け孔１６を介して第１の素片１０を照明器具２００に取り付けることにより、固定具１００を照明器具２００に取り付けることができる。図示例では、照明器具２００の２か所に固定具１００を取り付けているが、３か所に取り付けてもよく、４か所以上に取り付けてもよい。固定具の数は、照明器具および天井（実質的には、天井に形成された穴）の形状および構成等に応じて適切に設定され得る。
【００１４】
次に、固定具１００を取り付けた状態で、照明部が下側（室内空間側）となるようにして照明器具２００を天井の穴３２０に入れる。その状態で、コイルスプリング４０の付勢に抗して（すなわち、旋回方向Ａと反対側に）第１の素片１０を旋回させ、および／または、コイルスプリング４０の付勢に抗して（すなわち、旋回方向Ｂと反対側に）第２の素片２０を旋回させる。実質的には、コイルスプリング４０の付勢に抗して（すなわち、旋回方向Ｂと反対側に）第２の素片２０を旋回させる。そうすると、コイルスプリングの付勢により第２の素片２０は元の位置に戻ろうとし、図示例では下側に旋回しようとする。その結果、固定部材５０の遠位部５３が天井の裏側３００に圧接し、この圧力（付勢力）により照明器具２００が天井に固定される。上記のとおり、固定部材の屈曲角θ１およびθ２を調整することにより、遠位部５３の圧力（付勢力）を調整することができるので、目的に応じた適切な強度で照明器具を天井に固定することができる。
【産業上の利用可能性】
【００１５】
本考案の固定具は、各種の固定対象物を被固定体に取り付ける用途に好適に用いられ、例えば、照明器具を天井や壁に取り付ける用途に好適に用いられ得る。
【符号の説明】
【００１６】
１０      第１の素片
２０      第２の素片
３０      シャフト
４０      コイルスプリング
５０      固定部材
１００      固定具
２００      照明器具
３００      天井の裏側
【図１】
0003211887.tif 000003
【図２】
0003211887.tif 000004
【図３】
0003211887.tif 000005
【図４】
0003211887.tif 000006